(57)【要約】【課題】盲点事故が発生したときでも健全な母線を停電せずに事故を除去する母線保護継電システムを提供する。【解決手段】母線保護継電システムは、少なくとも１つの送電線が接続される２つの母線間を連絡するブスタイのブスタイ遮断器の片側に上記２つの母線にそれぞれ流入する電流を検出する２つの保護用変流器が設置される母線保護継電システムにおいて、上記ブスタイ遮断器を遮断したときに上記保護用変流器が設置された上記ブスタイの部分が接続する母線に流れる電流の和が所定の値未満且つ上記ブスタイの部分と接続しない上記母線に流れる電流の和が所定の値以上の場合、上記ブスタイ遮断器を遮断し、その後上記保護用変流器が検出するブスタイ電流に替えて零を用いて上記母線に流れる電流の和を算出し、算出した和が所定の値以上の上記母線を停電する母線保護継電器を備える。【選択図】図１
2008263725.tif 000002
【特許請求の範囲】
【請求項１】
少なくとも１つの送電線がそれぞれ接続される２つの母線間を連絡するブスタイのブスタイ遮断器の片側に上記２つの母線にそれぞれ流入する電流を検出する２つの保護用変流器が設置されるとともに、上記母線毎に上記送電線および上記ブスタイから流れる電流の和に基づいて母線保護を行う母線保護継電システムにおいて、
上記ブスタイ遮断器を遮断したときに上記保護用変流器が設置された上記ブスタイの部分が接続する上記母線に流れる電流の和が所定の値未満且つ上記ブスタイの部分と接続しない上記母線に流れる電流の和が所定の値以上の場合、上記ブスタイ遮断器を遮断した後で上記保護用変流器が検出するブスタイ電流に替えて零を用いて上記母線に流れる電流の和を算出し、算出した和が所定の値以上の上記母線を停電する母線保護継電器を備えることを特徴とする母線保護継電システム。
【請求項２】
少なくとも１つの送電線がそれぞれ接続される２つの母線間を連絡するブスタイのブスタイ遮断器の両側に上記２つの母線にそれぞれ流入する電流を検出する２つの保護用変流器が設置されるとともに、上記母線毎に上記送電線および上記ブスタイを流れる電流の和に基づいて母線保護を行う母線保護継電システムにおいて、
上記２つの保護用変流器が検出するブスタイ電流の和が所定の値以上の場合、上記ブスタイ遮断器を遮断した後で上記保護用変流器が検出するブスタイ電流に替えて零を用いて上記母線に流れる電流の和を算出し、算出した和が所定の値以上の上記母線を停電する母線保護継電器を備えることを特徴とする母線保護継電システム。
【発明の詳細な説明】
【技術分野】
【０００１】
この発明は、複数母線を保護するため、分割保護リレーに電流差動方式を適用した母線保護継電システムに関するものである。
【背景技術】
【０００２】
多数の送電線が接続する変電所の母線は、系統安定と運用操作の観点から複数の母線で構成され、母線間を連絡用線路により接続している。そして、大容量な変電所における母線の保護には、その母線に接続される全端子の電流を入力とし、キルヒホッフの法則に基づいて母線事故の有無を判別する差動継電器が適用されている。この差動継電器は、各端子電流を検出するための計器用変流器の位置を境界とする保護対象区間内の事故を瞬時に判別できる。
しかし、差動継電器で電源側遮断器を全て開放しないと事故電流が継続して流れ、停電範囲の拡大、人身安全への影響などの問題が発生するので、保護対象区間内の電源側遮断器は全て遮断する。
【０００３】
特に、計器用変流器と遮断器との間の事故（以下、「盲点事故」と称す）に対して、計器用変流器の設置位置に応じて対策を図っている。遮断器の片側に計器用変流器を設置した場合（以下、「片側設置」と称す）、一方の母線保護継電器の動作で保護対象区間内の遮断器を開放し、その後母線連絡の事故電流が継続していることを確認したとき他方の母線保護継電器が保護する保護対象区間内の遮断器を開放して事故電流を停止する。また、遮断器の両側に計器用変流器を設置した場合（以下、「両側設置」と称す）、両方の母線保護継電器が同時に動作し、全ての遮断器を開放して事故電流を停止している（例えば、特許文献１参照）。
【０００４】
【特許文献１】特開昭５２−１４７７４７号公報
【発明の開示】
【発明が解決しようとする課題】
【０００５】
しかし、遮断器の片側設置または両側設置のいずれの場合でも、盲点事故が発生すると、両方の母線の遮断器が開放され、健全な母線まで停電してしまうという問題がある。
また、遮断器の片側設置の場合、最初に一方の母線保護継電器が動作し、連絡用遮断器が遮断された後に遮断器が開放されるので、事故除去時間が長く掛かるという問題がある。
【０００６】
この発明の目的は、盲点事故が発生したときでも健全な母線を停電せずに事故を除去する母線保護継電システムを提供することである。
【課題を解決するための手段】
【０００７】
この発明に係る母線保護継電システムは、少なくとも１つの送電線が接続される２つの母線間を連絡するブスタイのブスタイ遮断器の片側に上記２つの母線にそれぞれ流入する電流を検出する２つの保護用変流器が設置され、上記母線毎に上記送電線および上記ブスタイから流れる電流の和に基づいて母線保護を行う母線保護継電システムにおいて、上記ブスタイ遮断器を遮断したときに上記保護用変流器が設置された上記ブスタイの部分が接続する母線に流れる電流の和が所定の値未満且つ上記ブスタイの部分と接続しない上記母線に流れる電流の和が所定の値以上の場合、上記ブスタイ遮断器を遮断し、その後上記保護用変流器が検出するブスタイ電流に替えて零を用いて上記母線に流れる電流の和を算出し、算出した和が所定の値以上の上記母線を停電する母線保護継電器を備える。
【発明の効果】
【０００８】
この発明に係る母線保護継電システムの効果は、事故が保護用変流器とブスタイ遮断器の間で発生した盲点事故であっても、ブスタイ遮断器を遮断し、その後ブスタイ電流を零とし、事故電流が甲母線または乙母線のいずれかに流れ込むかを判断することにより、盲点事故が発生した母線を判別し、この母線を他の母線から切り離すことができる。このとき、他の母線は盲点事故の発生した母線から切り離されるだけで活かすことができる。
【発明を実施するための最良の形態】
【０００９】
実施の形態１．
図１は、この発明に係る実施の形態１による母線保護継電システムが配置された二重母線１ブスタイ方式の変電所母線を示す構成図である。
この発明に係る実施の形態１による二重母線１ブスタイ方式の変電所母線（以下、「変電所母線」と略称する）は、甲母線１および乙母線２からなる二重母線、甲母線１と乙母線２とを連結するブスタイ３、甲母線１と乙母線２とにそれぞれ接続するＡ送電線４とＢ送電線５を備える。
また、変電所母線は、Ａ送電線４を甲母線１に対し開閉するＡ遮断器６、Ｂ送電線５を乙母線２に対し開閉するＢ遮断器７、ブスタイ３を開閉するブスタイ用遮断器８を備える。
なお、説明を簡単にするために、甲母線１および乙母線２に送電線がそれぞれ１つ接続している例を挙げたが、接続する送電線の数は１つに限るものではない。
【００１０】
この発明に係る実施の形態１による母線保護継電システムは、Ａ送電線４に流れる電流を検出する第１計器用変流器１１、Ｂ送電線５に流れる電流を検出する第２計器用変流器１２、ブスタイ用遮断器８の甲母線側のブスタイ３に流れる電流を検出する甲側保護用変流器１３、ブスタイ用遮断器８の甲母線側のブスタイ３に流れる電流を検出する乙側保護用変流器１４、第１計器用変流器１１、第２計器用変流器１２、甲側保護用変流器１３および乙側保護用変流器１４から取り込まれた電流に基づき甲母線１または乙母線２を保護する母線保護継電器１５を備える。
母線保護継電器１５は、ＣＰＵ、ＲＯＭ、ＲＡＭ、インターフェースを有するコンピュータから構成され、動作はＲＯＭに記憶したプログラムに記述された手順をシーケンスに読み出して行われる。
【００１１】
第１計器用変流器１１および甲側保護用変流器１３の極性は、保護する甲母線１に事故が発生し、事故電流を補償するように流れた電流の流れる方向を流入とする。すなわち、第１計器用変流器１１で検出されるＡ送電線電流は、Ａ送電線４から甲母線１に向かって流れたとき流入とする。甲側保護用変流器１３で検出される甲側ブスタイ電流は、甲側保護用変流器１３が設置されたブスタイ３をブスタイ遮断器８から甲母線１に向かって流れたとき流入とする。
【００１２】
また、第２計器用変流器１２および乙側保護用変流器１４の極性は、保護する乙母線２に事故が発生し、事故電流を補償するように流れた電流の流れる方向を流入とする。すなわち、第２計器用変流器１２で検出されるＢ送電線電流は、Ｂ送電線５から乙母線２に向かって流れたとき流入とする。乙側保護用変流器１４で検出される乙側ブスタイ電流は、乙側保護用変流器１４が設置されたブスタイ３を甲母線１からブスタイ遮断器８に向かって流れたとき流入とする。
【００１３】
そして、母線に流れる電流の和は、流入をプラスとし、流出をマイナスとすると、母線の途中で事故電流が流れなければ、ほぼ零となるので、比較のときの誤差を考慮して適当な所定の値を閾値と定めれば、和と所定の値を比較することにより事故電流の有無を検出することができる。
【００１４】
次に、実施の形態１による母線保護継電器１５の動作について図２を参照して説明する。図２は、実施の形態１による母線保護継電器１５の動作手順を示すフローチャートである。
母線保護継電器１５の動作は、Ａ送電線電流と甲側ブスタイ電流との和が所定の値以上か否かを判断するステップＳ１０１、Ａ送電線電流と甲側ブスタイ電流との和が所定の値以上の場合、ブスタイ遮断信号と甲母線遮断信号を発するステップＳ１０２、Ａ送電線電流と甲側ブスタイ電流との和が所定の値未満の場合、Ｂ送電線電流と乙側ブスタイ電流との和が所定の値以上か否かを判断するステップＳ１０３、Ｂ送電線電流と乙側ブスタイ電流との和が所定の値以上の場合、ブスタイ遮断信号を発するステップＳ１０４、Ｂ送電線電流と乙側ブスタイ電流との和が所定の値以上でブスタイ遮断信号が発せられたとき甲側保護用変流器１３が検出する甲側ブスタイ電流の代わりに甲側ブスタイ電流を零と設定するステップＳ１０５、Ａ送電線電流と甲側ブスタイ電流との和が所定の値以上か否かを判断するステップＳ１０６、Ａ送電線電流と甲側ブスタイ電流との和が所定の値以上の場合、甲母線遮断信号を発するステップＳ１０７、Ａ送電線電流と甲側ブスタイ電流との和が所定の値未満の場合、乙母線遮断信号を発するステップＳ１０８を有する。
【００１５】
事故が発生した箇所が、図３に示す甲母線１内のｐであれば、ステップＳ１０１でＡ送電線電流と甲側ブスタイ電流との和と所定の値を比較すると、Ａ送電線電流および甲側ブスタイ電流はともに流入であるので和は所定の値以上となる。その結果、事故が発生した甲母線１が乙母線２およびＡ送電線４から切り離される。一方、乙母線２は活きている。
【００１６】
事故が発生した箇所が、図３に示す乙母線２内のｑであれば、ステップＳ１０１でＡ送電線電流と甲側ブスタイ電流との和と所定の値を比較すると、Ａ送電線電流は流入であるが甲側ブスタイ電流は流出なので和は所定の値未満となる。ステップＳ１０３でＢ送電線電流と乙側ブスタイ電流との和と所定の値を比較すると、Ｂ送電線電流および乙側ブスタイ電流はともに流入であるので和は所定の値以上となる。そこで、ブスタイ遮断器８が遮断される。Ａ送電線電流はブスタイ遮断器８が遮断されるので零となり、ステップＳ１０６での判断では所定の値未満になり、Ｂ遮断器７が遮断されて、乙母線２が甲母線１およびＢ送電線５から切り離される。一方、甲母線１は活きている。
なお、事故が発生した箇所が、図３に示すブスタイ３のブスタイ遮断器８と乙母線２の間のｒでも同様にしてブスタイ３のこの箇所が甲母線１およびＢ送電線５から切り離される。
【００１７】
事故が発生した箇所が、図３に示すブスタイ３内のｓであれば、ステップＳ１０１でＡ送電線電流と甲側ブスタイ電流との和と所定の値を比較すると、Ａ送電線電流は流入であるが甲側ブスタイ電流は流出なので和は所定の値未満となる。ステップＳ１０３でＢ送電線電流と乙側ブスタイ電流との和と所定の値を比較すると、Ｂ送電線電流および乙側ブスタイ電流はともに流入であるので和は所定の値以上となる。そこで、ブスタイ遮断器８が遮断される。Ａ送電線電流はブスタイ遮断器８が遮断されても事故電流が流入するので、ステップＳ１０６での判断では所定の値以上になる。そして、Ａ遮断器６が遮断されて、この箇所が乙母線２およびＡ送電線４から切り離される。
【００１８】
このように、事故が甲側保護用変流器１３とブスタイ遮断器８の間に存在する盲点事故であっても、ブスタイ遮断器８を遮断し、その後甲側ブスタイ電流を零とし、事故電流が甲母線１または乙母線２のいずれかに流れ込むかを判断することにより、盲点事故を判別し甲母線１を乙母線２およびＡ送電線４から切り離すことができる。このとき、乙母線２は甲母線１から切り離されるだけで停電はしない。
【００１９】
なお、上述の実施の形態１では、甲側保護用変流器１３および乙側保護用変流器１４を甲母線１とブスタイ遮断器８との間に配置したが、乙母線２とブスタイ遮断器８との間に配置しても良い。このときの母線保護継電器１５の動作は、Ｂ送電線電流と乙側ブスタイ電流との和が所定の値以上か否かを判断するステップＳ１０１、Ｂ送電線電流と乙側ブスタイ電流との和が所定の値以上の場合、ブスタイ遮断信号と乙母線遮断信号を発するステップＳ１０２、Ｂ送電線電流と乙側ブスタイ電流との和が所定の値未満の場合、Ａ送電線電流と甲側ブスタイ電流との和が所定の値以上か否かを判断するステップＳ１０３、Ａ送電線電流と甲側ブスタイ電流との和が所定の値以上の場合、ブスタイ遮断信号を発するステップＳ１０４、Ａ送電線電流と甲側ブスタイ電流との和が所定の値以上でブスタイ遮断信号が発せられたとき乙側保護用変流器１４が検出する乙側ブスタイ電流の代わりに乙側ブスタイ電流を零と設定するステップＳ１０５、Ｂ送電線電流と乙側ブスタイ電流との和が所定の値以上か否かを判断するステップＳ１０６、Ｂ送電線電流と乙側ブスタイ電流との和が所定の値以上の場合、乙母線遮断信号を発するステップＳ１０７、Ｂ送電線電流が所定の値未満の場合、甲母線遮断信号を発するステップＳ１０８を有する。
【００２０】
また、上述の実施の形態１においては、二重母線１ブスタイ方式の変電所母線に対して本発明を適用したが、二重母線４ブスタイ方式の変電所母線に対して本発明を適用しても同様な効果が得られる。
【００２１】
また、上述の実施の形態１においては、母線保護継電器１５が第１計器用変流器１１、第２計器用変流器１２、甲側保護用変流器１３および乙側保護用変流器１４から取り込まれた電流に基づき甲母線１または乙母線２を保護しているが、甲母線保護継電器と乙母線保護継電器の２台を用いて甲母線と乙母線を別々に保護しても良い。
その場合の甲母線保護継電器と乙母線保護継電器の動作の手順を図４と図５をそれぞれ参照して説明する。
【００２２】
甲母線保護継電器の動作は、Ａ送電線電流と甲側ブスタイ電流との和が所定の値以上か否かを判断するステップＳ２０１、Ａ送電線電流と甲側ブスタイ電流との和が所定の値以上の場合、ブスタイ遮断信号と甲母線遮断信号を発するステップＳ２０２を有する。
【００２３】
乙母線保護継電器の動作は、Ｂ送電線電流と乙側ブスタイ電流との和が所定の値以上か否かを判断するステップＳ３０１、Ｂ送電線電流と乙側ブスタイ電流との和が所定の値以上の場合、ブスタイ遮断信号を発するステップＳ３０２、Ｂ送電線電流と乙側ブスタイ電流との和が所定の値以上でブスタイ遮断信号が発せられたとき甲側保護用変流器１３が検出する甲側ブスタイ電流の代わりに甲側ブスタイ電流を零と設定するステップＳ３０３、Ａ送電線電流と甲側ブスタイ電流との和が所定の値以上か否かを判断するステップＳ３０４、Ａ送電線電流と甲側ブスタイ電流との和が所定の値以上の場合、甲母線遮断信号を発するステップＳ３０５、Ａ送電線電流と甲側ブスタイ電流との和が所定の値未満の場合、乙母線遮断信号を発するステップＳ３０６を有する。
【００２４】
実施の形態２．
図６は、この発明に係る実施の形態２による母線保護継電システムが配置された二重母線１ブスタイ方式の変電所母線を示す構成図である。
この発明に係る実施の形態２による母線保護継電システムが配置された変電所母線は、実施の形態１と同様であるので、同様な部分に同じ符号を付記し説明は省略する。
【００２５】
この発明に係る実施の形態２による母線保護継電システムは、実施の形態１による母線保護継電システムと甲側保護用変流器１３が配置される位置が異なるとともに、それに伴って母線保護継電器１５の動作が異なり、それ以外は同様であるので、同様な部分に同じ符号を付記し説明は省略する。
甲側保護用変流器１３は、ブスタイ遮断器８と乙母線２との間に配設されている。そして、甲側保護用変流器１３の極性は、保護する甲母線１に事故が発生し、事故電流が甲母線１に流れたときの電流の流れる方向を流入とする。すなわち、甲側保護用変流器１３で検出される甲側ブスタイ電流は、甲側保護用変流器１３を乙母線２からブスタイ遮断器８に向かって流れたとき流入したとする。
【００２６】
次に、実施の形態２による母線保護継電器１５の動作について図７を参照して説明する。図７は、実施の形態２による母線保護継電器１５の動作手順を示すフローチャートである。
母線保護継電器１５の動作は、甲側ブスタイ電流と乙側ブスタイ電流との和が所定の値以上か否かを判断するステップＳ４０１、甲側ブスタイ電流と乙側ブスタイ電流との和が所定の値以上の場合、ブスタイ遮断信号を発するステップＳ４０２、甲側ブスタイ電流と乙側ブスタイ電流の和が所定の値以上でブスタイ遮断信号が発せられたとき甲側保護用変流器１３が検出する甲側ブスタイ電流の代わりに甲側ブスタイ電流を零と設定するステップＳ４０３、Ａ送電線電流と甲側ブスタイ電流との和が所定の値以上か否かを判断するステップＳ４０４、Ａ送電線電流と甲側ブスタイ電流との和が所定の値以上の場合、甲母線遮断信号を発するステップＳ４０５、Ａ送電線電流と甲側ブスタイ電流との和が所定の値未満の場合、乙母線遮断信号を発するステップＳ４０６、甲側ブスタイ電流と乙側ブスタイ電流との和が所定の値未満の場合、Ａ送電線電流と甲側ブスタイ電流との和が所定の値以上か否かを判断するステップＳ４０７、Ａ送電線電流と甲側ブスタイ電流との和が所定の値以上の場合甲母線遮断信号およびブスタイ遮断信号を発するステップＳ４０８、Ａ送電線電流と甲側ブスタイ電流との和が所定の値未満の場合、Ｂ送電線電流と乙側ブスタイ電流との和が所定の値以上か否かを判断するステップＳ４０９、Ｂ送電線電流と乙側ブスタイ電流との和が所定の値以上の場合、乙母線遮断信号およびブスタイ遮断信号を発するステップＳ４１０を有する。
【００２７】
事故が発生した箇所が、図８に示す甲母線１内のｐであれば、ステップＳ４０１で甲側ブスタイ電流と乙側ブスタイ電流の和と所定の値とを比較すると、甲側ブスタイ電流が流入で乙側ブスタイ電流が流出であるので、和は所定の値未満となる。そこで、ステップＳ４０７の手順に進み、Ａ送電線電流と甲側ブスタイ電流との和と所定の値とを比較すると、Ａ送電線電流が流入で甲側ブスタイ電流も流入であるので、和は所定の値以上となる。その結果、ステップＳ４０８でＡ遮断器６およびブスタイ遮断器８が遮断され、事故が発生した甲母線１が乙母線２およびＡ送電線４から切り離される。一方、乙母線２は活きている。
【００２８】
事故が発生した箇所が、図８に示す乙母線２内のｑであれば、ステップＳ４０１で甲側ブスタイ電流と乙側ブスタイ電流の和と所定の値とを比較すると、甲側ブスタイ電流が流出で乙側ブスタイ電流が流入であるので、和は所定の値未満となる。そこで、ステップＳ４０７の手順に進み、Ａ送電線電流と甲側ブスタイ電流との和と所定の値とを比較すると、Ａ送電線電流が流入で甲側ブスタイ電流が流出であるので、和は所定の値未満となる。そこで、ステップＳ４０９の手順に進み、Ｂ送電線電流と乙側ブスタイ電流との和と所定の値とを比較すると、Ｂ送電線電流が流入で乙側ブスタイ電流も流入であるので、和は所定の値以上となる。その結果、ステップＳ４１０でＢ遮断器７およびブスタイ遮断器８が遮断され、事故が発生した乙母線２が甲母線１およびＢ送電線５から切り離される。一方、甲母線１は活きている。
【００２９】
事故が発生した箇所が、図８に示すブスタイ３内のｒであれば、ステップＳ４０１で甲側ブスタイ電流と乙側ブスタイ電流の和と所定の値とを比較すると、甲側ブスタイ電流が流入で乙側ブスタイ電流も流入であるので、和は所定の値以上となる。そこで、ステップ４０２でブスタイ遮断器８を遮断し、ステップＳ４０３で甲側保護用変流器１３が検出する甲側ブスタイ電流の代わりに甲側ブスタイ電流を零と設定する。次に、ステップＳ４０４で、Ａ送電線電流と甲側ブスタイ電流との和と所定の値とを比較するが、Ａ送電線電流はブスタイ遮断器８が遮断されると事故電流が流れず、且つ甲側ブスタイ電流は零に設定されるので、和は所定の値未満である。そして、Ｂ遮断器７が遮断されて、この箇所が甲母線１およびＢ送電線５から切り離される。
【００３０】
事故が発生した箇所が、図８に示すブスタイ３内のｓであれば、ステップＳ４０１で甲側ブスタイ電流と乙側ブスタイ電流との和と所定の値とを比較すると、甲側ブスタイ電流が流入で乙側ブスタイ電流も流入であるので、和は所定の値以上となる。そこで、ステップ４０２でブスタイ遮断器８を遮断し、ステップＳ４０３で甲側保護用変流器１３が検出する甲側ブスタイ電流の代わりに甲側ブスタイ電流を零と設定する。次に、ステップＳ４０４で、Ａ送電線電流と甲側ブスタイ電流との和と所定の値とを比較するが、Ａ送電線電流はブスタイ遮断器８が遮断されても事故電流が流れるし甲側ブスタイ電流は零に設定されるので、和は所定の値以上である。そこで、ステップＳ４０５に進み、Ａ遮断器６が遮断されて、この箇所が乙母線２およびＡ送電線４から切り離される。
【００３１】
このように、甲側保護用変流器１３と乙側保護用変流器１４がブスタイ遮断器８を挟んで配置され、この間で発生した盲点事故であっても、ブスタイ遮断器８を遮断し、その後甲側ブスタイ電流を零とし、事故電流が甲母線または乙母線のいずれかに流れ込むかを判断することにより、盲点事故の箇所を判別し甲母線１または乙母線２の一方だけを停電し、他方を停電しないことができる。
【００３２】
なお、上述の実施の形態２においては、母線保護継電器１５が第１計器用変流器１１、第２計器用変流器１２、甲側保護用変流器１３および乙側保護用変流器１４から取り込まれた電流に基づき甲母線１または乙母線２を保護しているが、ブスタイ保護継電器、甲母線保護継電器および乙母線保護継電器の３台を用いて甲母線と乙母線を別々に保護しても良い。
その場合のブスタイ保護継電器、甲母線保護継電器および乙母線保護継電器の動作の手順を図９から図１１をそれぞれ参照して説明する。
【００３３】
ブスタイ保護継電器の動作は、甲側ブスタイ電流と乙側ブスタイ電流との和が所定の値以上か否かを判断するステップＳ５０１、甲側ブスタイ電流と乙側ブスタイ電流との和が所定の値以上の場合、ブスタイ遮断信号を発するステップＳ５０２、甲側ブスタイ電流と乙側ブスタイ電流の和が所定の値以上でブスタイ遮断信号が発せられたとき甲側保護用変流器１３が検出する甲側ブスタイ電流の代わりに甲側ブスタイ電流を零と設定するステップＳ５０３、Ａ送電線電流と甲側ブスタイ電流との和が所定の値以上か否かを判断するステップＳ５０４、Ａ送電線電流と甲側ブスタイ電流との和が所定の値以上の場合、甲母線遮断信号を発するステップＳ５０５、Ａ送電線電流と甲側ブスタイ電流との和が所定の値未満の場合、乙母線遮断信号を発するステップＳ５０６を有する。
【００３４】
甲母線保護継電器の動作は、甲側ブスタイ電流と乙側ブスタイ電流との和が所定の値以上か否かを判断するステップＳ６０１、甲側ブスタイ電流と乙側ブスタイ電流との和が所定の値未満の場合、Ａ送電線電流と甲側ブスタイ電流との和が所定の値以上か否かを判断するステップＳ６０２、Ａ送電線電流と甲側ブスタイ電流との和が所定の値以上の場合甲母線遮断信号およびブスタイ遮断信号を発するステップＳ６０３を有する。
【００３５】
乙母線保護継電器の動作は、甲側ブスタイ電流と乙側ブスタイ電流との和が所定の値以上か否かを判断するステップＳ７０１、甲側ブスタイ電流と乙側ブスタイ電流との和が所定の値未満の場合、Ｂ送電線電流と乙側ブスタイ電流との和が所定の値以上か否かを判断するステップＳ７０２、Ｂ送電線電流と乙側ブスタイ電流との和が所定の値以上の場合、乙母線遮断信号およびブスタイ遮断信号を発するステップＳ７０３を有する。
【図面の簡単な説明】
【００３６】
【図１】この発明に係る実施の形態１による母線保護継電システムが配置された二重母線１ブスタイ方式の変電所母線を示す構成図である。
【図２】実施の形態１による母線保護継電器の動作手順を示すフローチャートである。
【図３】事故の起こった位置を示す変電所母線図である。
【図４】実施の形態１による甲母線保護継電器の動作手順を示すフローチャートである。
【図５】実施の形態１による乙母線保護継電器の動作手順を示すフローチャートである。
【図６】この発明に係る実施の形態２による母線保護継電システムが配置された二重母線１ブスタイ方式の変電所母線を示す構成図である。
【図７】実施の形態２による母線保護継電器の動作手順を示すフローチャートである。
【図８】事故の起こった位置を示す変電所母線図である。
【図９】実施の形態２によるブスタイ保護継電器の動作手順を示すフローチャートである。
【図１０】実施の形態２による甲母線保護継電器の動作手順を示すフローチャートである。
【図１１】実施の形態２による乙母線保護継電器の動作手順を示すフローチャートである。
【符号の説明】
【００３７】
１  甲母線、２  乙母線、３  ブスタイ、４、５  送電線、６、７  遮断器、８  ブスタイ遮断器、１１、１２  計器用変流器、１３  甲側保護用変流器、１４  乙側保護用変流器、１５  母線保護継電器。
【図１】
2008263725.tif 000003
【図２】
2008263725.tif 000004
【図３】
2008263725.tif 000005
【図４】
2008263725.tif 000006
【図５】
2008263725.tif 000007
【図６】
2008263725.tif 000008
【図７】
2008263725.tif 000009
【図８】
2008263725.tif 000010
【図９】
2008263725.tif 000011
【図１０】
2008263725.tif 000012
【図１１】
2008263725.tif 000013